(57)【特許請求の範囲】
【請求項１】
フォークの昇降動を案内する左右一対のマストが前後に傾動自在に支持されたフォークリフトの雨除け装置において、車体上に設けられた保護枠の上側後部に巻取り方向への回転力が付与された巻取軸を取付け、その巻取軸に巻取られた防水性スクリーンの先端にバーを固定し、そのバーの両端部に係合具を上記バーの長さ方向に位置調整自在に取付け、前記一対のマストの上部に両端部が固定されたマストブラケットに上記係合具が係合可能な係合受具を上記マストブラケットに対して昇降自在に取付けたフォークリフトの雨除け装置。
【発明の詳細な説明】
【０００１】
【産業上の利用分野】
この発明は、荷物の揚げおろしと運搬とを行なうフォークリフトの雨除け装置に関するものである。
【０００２】
【従来の技術】
昇降自在のフォークを有し、そのフォークの昇降と車体の移動とによって荷物の揚げおろしと運搬とを行なうフォークリフトにおいては、普通、車体上に運転席を囲む角形の保護枠を取付けて落下物等によりドライバが怪我するのを防止している。
【０００３】
【発明が解決しようとする課題】
ところで、安全性を確保する上記保護枠は、上部、左右が開放しているため、フォークリフトの屋外の使用において雨が降れば、ドライバが濡れることになる。
【０００４】
この発明の課題は、保護枠の上側開放部をシートで遮蔽できるようにしてドライバが雨で濡れるのを防止することができるようにしたフォークリフトの雨除け装置を提供することである。
【０００５】
【課題を解決するための手段】
上記の課題を解決するために、この発明においては、フォークの昇降動を案内する左右一対のマストが前後に傾動自在に支持されたフォークリフトの雨除け装置において、車体上に設けられた保護枠の上側後部に巻取り方向への回転力が付与された巻取軸を取付け、その巻取軸に巻取られた防水性スクリーンの先端にバーを固定し、そのバーの両端部に係合具を上記バーの長さ方向に位置調整自在に取付け、前記一対のマストの上部に両端部が固定されたマストブラケットに上記係合具が係合可能な係合受具を上記マストブラケットに対して昇降自在に取付けた構成を採用したのである。
【０００６】
【作用】
上記のように構成すれば、巻取軸から引き出したスクリーンによって保護枠の上側開放部を覆うことができるため、ドライバが雨で濡れるのを防止することができる。
【０００７】
【実施例】
以下、この発明の実施例を添付図面に基づいて説明する。
図１に示すように、フォークリフト１は、車体２の前部に左右一対のマスト３が設けられ、そのマスト３に沿ってフォーク４が昇降自在に支持されている。
【０００８】
マスト３は、シリンダ５の作動により前後に傾動される。マスト３の上部にはマストブラケット６が取付けられ、そのブラケット６の両端部に図３で示すリフト吊り下げ用の一対の孔７が設けられている。
【０００９】
車体２上には、運転席を囲む角形の保護枠８が設けられている。保護枠８は、運転席の上方に設けたヘッドガード９と、そのヘッドガード９を支持する左右一対のフロント支柱１０および左右一対のリア支柱１１とから成る。
【００１０】
図３に示すように、ヘッドガード９は角形周枠９ａ内に縦桟９ｂと横桟９ｃとを設けている。このヘッドガード９の縦桟９ｂと横桟９ｃ間の開放部はロールスクリーン１２によって開閉される。
【００１１】
ロールスクリーン１２は、収納ケース１３と、その収納ケース１３内に組込まれ、スプリングにより巻取り方向への回転力が付与された巻取軸１４と、その巻取軸１４に巻取られた防水性スクリーン１５とから成り、上記スクリーン１５の収納ケース１３の開口１６から外部に引き出された先端にバー１７が取付けられている。
【００１２】
図４および図５に示すように、バー１７には長さ方向に延びる案内溝１８が形成されている。案内溝１８は開口部の溝幅が底部の溝幅より狭くなっている。この案内溝１８にスライド自在に組込まれたスライダ１９はねじ孔２０を有し、そのねじ孔２０に係合具２１の後端部に設けたねじ軸２２がねじ込まれている。
【００１３】
上記スライダ１９はねじ軸２２の先端が案内溝１８を押圧する作用によって固定されている。このため、ねじ軸２２を弛めることにより、スライダ１９を案内溝１８に沿って移動させることができ、係合具２１をバー１７の長さ方向に位置調整することができる。
【００１４】
上記の構成から成るロールスクリーン１２の収納ケース１３はヘッドガード９の上面後部に取付けられている。
【００１５】
図３および図４に示すように、マストブラケット６の孔７にはねじ棒２３が挿入され、そのねじ棒２３の上端に前記係合具２１が係合可能なリング状の係合受具２４が設けられている。
【００１６】
ねじ棒２３にはマストブラケット６を挾む上下に一対のナット２５がねじ込まれ、各ナット２５とマストブラケット６との間に座板２６が組込まれている。ねじ棒２３はナット２５の締付けによりマストブラケット６に固定され、上記ナット２５を弛めることによりねじ棒２３を軸方向に移動させることができ、係合受具２４を高さ調整し得るようになっている。
【００１７】
いま、収納ケース１３からスクリーン１５を引き出し、バー１７の両端部に取付けた一対の係合具２１をマストブラケット６に取付けられた一対の係合受具２４に係合させることにより、図３に示すように、スクリーン１５は引き出し状態に保持され、そのスクリーン１５で、ヘッドガード９上および一対のフロント支柱１０間の上部を覆うことができ、ドライバが雨に濡れるのを防止することができる。
【００１８】
上記のようなスクリーン１５の引き出し状態において、マスト３を前方に傾動させると、スクリーン１５が引かれて巻取軸１４から繰り出される。また、マスト３を後方に傾動させると、スクリーン１５にたるみが生じ、巻取軸１４が巻取り方向に回転してスクリーン１５のたるみを吸収する。
【００１９】
このため、スクリーン１５はマスト３が傾動しても常に一定の張力状態に保持され、マスト３の傾動によってスクリーン１５が引き裂かれたり、たるみが生じる等の不都合の発生はない。
【００２０】
【参考例】
図６および図７は、ロールスクリーン１２の他の例を示す。このロールスクリーン１２は、左右一対の縦枠３１の上部間に収納ケース１３を取付け、縦枠３１の下部間に下枠３２を取付け、収納ケース１３内に巻取り方向への復帰回転力が付与された巻取軸１４を組込み、その巻取軸１４で巻取られたスクリーン１５の両側縁に可とう性を有する突部３３を設けている。
【００２１】
また、スクリーン１５の下端に縦枠３１によって両端部が案内されるバー１７を取付け、一方、縦枠３１の内側にスクリーン１５の両側縁部の移動を案内するインナーレール３４を組込み、そのインナーレール３４を弾性体３５によって外方向に押圧し、スクリーン１５に幅方向のテンションを付与してスクリーン１５を引き出した任意の位置で停止保持できるようにしている。
【００２２】
上記のようなロールスクリーン１２を図１および図２に示すように、フロント支柱１０とリア支柱１１間および一対のリア支柱１１間に取付けることにより、巻取軸１４から引き出したスクリーン１５で支柱１０、１１間を遮蔽することができるため、ドライバーが雨に濡れるのを略確実に防止することができる。
【００２３】
【発明の効果】
以上のように、この発明においては、巻取軸から引き出した防水性スクリーンの先端の係合具をマストブラケットに取付けた係合受具に係合させることにより、その防水性スクリーンで保護枠の上側開放部を覆うことができるため、雨中における荷物の運搬においてドライバーが雨に濡れるのを略完全に防止することができ、安全に作業を行なうことができる。
【００２４】
また、防水性スクリーンを巻取る巻取軸は巻取り方向への回転力が付与されているため、マストが傾動しても防水性スクリーンは常に一定の緊張状態に保持され、マストの傾動によって防水性スクリーンが引き裂かれたり、たるみが生じる等の不都合の発生はなく、長期の使用に耐えることができる。
【００２５】
さらに、バーの長さ方向に係合具を位置調整自在に設け、一方、係合受具を高さ調整自在に設けたことにより、防水性スクリーンの幅寸法を最も大きなフォークリフトの幅寸法に対応させることによって上記防水性スクリーンで幅寸法が異なるフォークリフトの運転席上を覆うことができる。
【図面の簡単な説明】
【図１】この発明に係るフォークリフトの雨除け装置の一実施例を示す側面図
【図２】同上の背面図
【図３】同上の要部を示す拡大断面図
【図４】同上の係合具と係合受具とを示す斜視図
【図５】同上の係合具の取付け部を示す断面図
【図６】参考例として示すロールスクリーンの一部を省略して示す正面図
【図７】図６のVII−VII線に沿った断面図
【符号の説明】
２  車体
３  マスト
４  フォーク
６  マストブラケット
８  保護枠
１４  巻取軸
１５  防水性スクリーン
１７  バー
２１  係合具
２４  係合受具
【図１】
0003597876.tif 000002
【図２】
0003597876.tif 000003
【図３】
0003597876.tif 000004
【図４】
0003597876.tif 000005
【図５】
0003597876.tif 000006
【図６】
0003597876.tif 000007
【図７】
0003597876.tif 000008